(57)【要約】【課題】軸受回転時の遠心力の作用によって、ころがポケットの径方向外側端面に向けて移動したときに、ころを安定よく転動案内することができるスラストころ軸受の保持器を提供する。【解決手段】内・外径側の両環状部２１、２２と、これら両環状部２１、２２を連結し、かつころ１１を転動可能に保持する複数のポケット２３を区画形成する複数の柱部２４とを有して断面Ｍ形状をなす。複数の柱部２４は、径方向中間部２５と、径方向両側部２６と、これら径方向中間部２５及び径方向両側部２６を連結する傾斜連結部２７とを有する。ポケット２３の径方向の長さ寸法は、ころ１１の長さ寸法よりも大きく設定される。複数の柱部２４の径方向中間部の中央位置Ｐ２を通る円の直径寸法Ｄ１は、複数のポケット２３の径方向長さの中央位置Ｐ１を通る円の直径寸法Ｄ２よりも大きく設定されている。【選択図】図３
2010053888.tif 000002
【特許請求の範囲】
【請求項１】
内・外径側の両環状部と、これら両環状部を連結しころを転動可能に保持する複数のポケットを区画形成する複数の柱部とを有して断面Ｍ形状をなすスラストころ軸受の保持器であって、
前記柱部は、径方向中間部と、径方向両側部と、これら径方向中間部及び径方向両側部を連結する傾斜連結部とを有し、
前記ポケットの径方向の長さ寸法は、前記ころの長さ寸法よりも大きく設定され、
前記複数の柱部の径方向中間部の中央位置を通る円の直径寸法は、前記複数のポケットの径方向長さの中央位置を通る円の直径寸法よりも大きく設定されていることを特徴とするスラストころ軸受の保持器。
【請求項２】
請求項１に記載のスラストころ軸受の保持器であって、
複数のころの外側端面が複数のポケットの径方向の外側端面に当接した状態で前記複数のころの長さ方向中央位置を通る円の直径寸法と、複数の柱部の径方向中間部の中央位置を通る円の直径寸法とが合致するように設定されていることを特徴とするスラストころ軸受の保持器。
【発明の詳細な説明】
【技術分野】
【０００１】
この発明はスラストころ軸受の保持器に関する。
【背景技術】
【０００２】
従来、スラストころ軸受の保持器としては、例えば、特許文献１に開示されている。
この種のスラストころ軸受の保持器においては、図４に示すように、内・外径側の両環状部１２１、１２２と、これら両環状部１２１、１２２を連結し、かつころ１１１を転動可能に保持するポケット１２３を区画形成する柱部１２４とを有して断面Ｍ形状をなす。
また、保持器１２０の柱部１２４は、径方向中間部１２５と、径方向両側部１２６と、これら径方向中間部１２５及び径方向両側部１２６を連結する傾斜連結部１２７とを有している。
また、ポケット１２３の径方向の長さ寸法は、ころ１１１の長さ寸法よりも大きく設定されている。
さらに、ポケット１２３の径方向長さの中央位置Ｐ１’と、柱部１２４の径方向中間部１２５の中央位置Ｐ２’とが一致するように柱部１２４の径方向中間部１２５の配置位置が設定されている。そして、ポケット１２３の径方向の両端と、ころ１１１の両端面との間には設定された隙間Ｓ’が存在するようになっているのが一般的である。
【特許文献１】特開２０００−２１３５４６号公報
【発明の開示】
【発明が解決しようとする課題】
【０００３】
ところで、図４に示すような構造をもつ従来の保持器においては、軸受回転時の遠心力の作用によって、図５に示すように、ころ１１１がポケット１２３の径方向外側端面に向けて移動する。すると、ころ１１１の長さ方向中央位置Ｐ３’と、柱部１２４の径方向中間部１２５の中央位置Ｐ２’とが隙間Ｓ’に相当する分だけ位置ずれする。
この場合、柱部１２４によるころ１１１の保持性が悪くなると共に、ころ１１１を安定よく転動案内することができないことがあり、これによって、ころ１１１に偏摩耗が発生する恐れがある。
【０００４】
この発明の目的は、前記問題点に鑑み、軸受回転時の遠心力の作用によって、ころがポケットの径方向外側端面に向けて移動したときに、ころを安定よく転動案内することができるスラストころ軸受の保持器を提供することである。
【課題を解決するための手段】
【０００５】
前記目的を達成するために、この発明の請求項１に係るスラストころ軸受の保持器は、内・外径側の両環状部と、これら両環状部を連結しころを転動可能に保持する複数のポケットを区画形成する複数の柱部とを有して断面Ｍ形状をなすスラストころ軸受の保持器であって、
前記柱部は、径方向中間部と、径方向両側部と、これら径方向中間部及び径方向両側部を連結する傾斜連結部とを有し、
前記ポケットの径方向の長さ寸法は、前記ころの長さ寸法よりも大きく設定され、
前記複数の柱部の径方向中間部の中央位置を通る円の直径寸法は、前記複数のポケットの径方向長さの中央位置を通る円の直径寸法よりも大きく設定されていることを特徴とする。
【０００６】
前記構成によると、軸受回転時の遠心力の作用によって、ころがポケットの径方向外側端面に向けて移動したときには、ころの長さ方向中央位置が、柱部の径方向中間部の中央位置に接近する。これによって、ころを安定よく転動案内することができる。この結果、ころの偏磨耗を抑制してスラストころ軸受の耐摩耗性、耐焼き付き性の向上を良好に図ることができる。
【０００７】
請求項２に係るスラストころ軸受の保持器は、請求項１に記載のスラストころ軸受の保持器であって、
複数のころの外側端面が複数のポケットの径方向の外側端面に当接した状態で前記複数のころの長さ方向中央位置を通る円の直径寸法と、複数の柱部の径方向中間部の中央位置を通る円の直径寸法とが合致するように設定されていることを特徴とする。
【０００８】
前記構成によると、軸受回転時の遠心力の作用によってころがポケットの径方向外側端面に当接する位置まで移動したときには、複数のころの長さ方向の中央位置を通る円の直径寸法と、複数の柱部の径方向中間部の中央位置を通る円の直径寸法とが合致するため、ころをより一層安定よく転動案内することができ、耐久性の向上に効果が大きい。
【発明を実施するための最良の形態】
【０００９】
次に、この発明を実施するための最良の形態を実施例にしたがって説明する。
【実施例】
【００１０】
（実施例１）
この発明の実施例１を図１〜図３にしたがって説明する。
図１はこの発明の実施例１に係るスラストころ軸受の保持器を示す側断面図である。図２は保持器のポケットにころが配置された状態を示す側断面図である。図３は軸受回転時の遠心力の作用によってころがポケットの径方向外側端面に当接する位置まで移動した状態を示す側断面図である。
【００１１】
図１に示すように、スラストころ軸受（スラスト針状ころ軸受も含む）の保持器２０は、鋼板のプレス加工によって形成され、内径側環状部２１と、外径側環状部２２と、これら内・外径側の両環状部２１、２２の周方向に所定間隔を隔てて掛け渡されてポケット２３を区画形成する複数の柱部２４とを備えて断面略Ｍ字状をなしている。
図２に示すように、保持器２０の柱部２４は、径方向中間部２５と、径方向両側部２６と、これら径方向中間部２５及び径方向両側部２６を連結する傾斜連結部２７とを有している。
さらに、各ポケット２３は隣接する柱部２４の間にプレスの打ち抜き加工によって形成され、これら各ポケット２３にはころ１１が転動可能に保持される。
また、ポケット２３内のころ１１を抜け止めするために、隣接する柱部２４の相対する面の径方向中間部２５及び径方向両側部２７の端面には、ポケット２３内に向けて対向状に突出する抜止爪２８、２９がそれぞれ突出されている。
【００１２】
また、図２に示すように、ポケット２３の径方向の長さ寸法は、ころ１１の長さ寸法よりも大きく設定されて、ポケット２３の径方向の両端と、ころ１１の両端面との間には設定された隙間Ｓが存在するようになっている。
【００１３】
図２に示すように、ポケット２３の径方向の径方向外側から柱部２４の径方向中間部２５の中央位置Ｐ２までの距離寸法をＡとし、ポケット２３の径方向の径方向内側から柱部２４の径方向中間部２５の中央位置Ｐ２までの距離寸法をＢとしたときに、「Ａ＜Ｂ」の関係になるように設定されている。
すなわち、複数の柱部２４の径方向中間部２５の中央位置Ｐ２を通る円の直径寸法Ｄ１は、複数のポケット２３の径方向長さの中央位置Ｐ１を通る円の直径寸法Ｄ２よりも大きく設定されている。
また、図３に示すように、軸受回転時の遠心力の作用によって複数のころ１１の外側端面が複数のポケット２３の径方向の外側端面にそれぞれ当接した状態で、複数のころ１１の長さ方向中央位置Ｐ３を通る円の直径寸法Ｄ３と、複数の柱部２４の径方向中間部２５の中央位置Ｐ２を通る円の直径寸法Ｄ１とが合致するように設定されることが望ましい。
【００１４】
この実施例１に係るスラストころ軸受の保持器は上述したように構成される。
したがって、図３に示すように、複数のころ１１の外側端面が複数のポケット２３の径方向の外側端面に当接した状態で、複数のころ１１の長さ方向中央位置Ｐ３を通る円の直径寸法Ｄ３と、複数の柱部２４の径方向中間部２５の中央位置Ｐ２を通る円の直径寸法Ｄ１とが合致するように設定されている。
このため、軸受回転時の遠心力の作用によって、図３に示すように、複数のころ１１の外側端面が複数のポケット２３の径方向の外側端面に当接したしたときには、ころ１１を最適な状態で転動案内することができる。この結果、ころ１１の偏磨耗を抑制してスラストころ軸受の耐摩耗性、耐焼き付き性の向上を良好に図ることができる。
【００１５】
なお、この発明は前記実施例１に限定するものではなく、この発明の要旨を逸脱しない範囲内において、種々の形態で実施可能である。
例えば、前記実施例１においては、図３に示すように、軸受回転時の遠心力の作用によって複数のころ１１の外側端面が複数のポケット２３の径方向の外側端面にそれぞれ当接した状態で、複数のころ１１の長さ方向中央位置Ｐ３を通る円の直径寸法Ｄ３と、複数の柱部２４の径方向中間部２５の中央位置Ｐ２を通る円の直径寸法Ｄ１とが合致するように設定される場合を例示したが、複数の柱部２４の径方向中間部２５の中央位置Ｐ２を通る円の直径寸法Ｄ１を、複数のポケット２３の径方向長さの中央位置Ｐ１を通る円の直径寸法Ｄ２よりも大きく設定することによって、ころ１１を安定よく転動案内することができ、ころ１１の偏磨耗の抑制に効果がある。
【図面の簡単な説明】
【００１６】
【図１】この発明の実施例１に係るスラストころ軸受の保持器を示す側断面図である。
【図２】同じく保持器のポケットにころが配置された状態を示す側断面図である。
【図３】同じく軸受回転時の遠心力の作用によってころがポケットの径方向外側端面に当接する位置まで移動した状態を示す側断面図である。
【図４】従来のスラストころ軸受の保持器のポケットにころが配置された状態を示す側断面図である。
【図５】同じく軸受回転時の遠心力の作用によって、ころがポケットの径方向外側端面に当接する位置まで移動した状態を示す側断面図である。
【符号の説明】
【００１７】
１１  ころ
２０  保持器
２１  内径側環状部
２２  外径側環状部
２３  ポケット
２４  柱部
２５  径方向中間部
２６  径方向両側部
２７  傾斜連結部
【図１】
2010053888.tif 000003
【図２】
2010053888.tif 000004
【図３】
2010053888.tif 000005
【図４】
2010053888.tif 000006
【図５】
2010053888.tif 000007